(57)【要約】【課題】携帯自在なスティック形状で、顔の目まわりや小鼻まわり等の細かい部分からも化粧料及び除去剤を十分に除去することを可能とする。【解決手段】円筒形状に綿を成形することで構成された化粧料の除去用衛生用具である。【選択図】      図１
0003122553.tif 000002
【実用新案登録請求の範囲】
【請求項１】
円筒形状に綿を成形することで構成された化粧料の除去用衛生用具。
【請求項２】
円筒形状に綿を成形することで構成され、当該円筒形状の長手方向に垂直な平面による断面が楕円形となる化粧料の除去用衛生用具。
【請求項３】
円筒形状に綿を成形することで構成され、当該円筒形状の先端部において当該円筒形状の長手方向に垂直な平面に対して所定の角度を有するような両先端部分を有する化粧料の除去用衛生用具。
【請求項４】
円筒形状を当該円筒形状の長手方向に平行な平面で該円筒形状の中心を通るように２分割した半円筒形状に、該半円筒形状の長手方向に形成される平面上に上記円筒形状の中心にその一平面の中心線が置かれるような関係で直方体を更に配設した形状に綿等を成形することで構成される化粧料の除去用衛生用具。
【考案の詳細な説明】
【技術分野】
【０００１】
本考案は、化粧料の除去用衛生用具に関する。
【背景技術】
【０００２】
従来、メイクアップやファンデーション等の化粧料を顔に塗布、或いは顔から除去するための衛生用具については種々の提案がなされている。
【０００３】
一般に、メイクアップ等を除去する際には、クレンジング剤（オイル、クリーム、乳液状等）等の除去剤を顔に塗布した後、例えばティッシュやコットン、パフ等の衛生用具を指に巻き付けたり、小さく畳んだりして使用している。
【０００４】
このような衛生用具としては、例えば特許文献１に、化粧料や外用剤などを吸収可能な衛生用具本体の内部に、該化粧料、外用剤等を透過させない非透過性シートが設けられた化粧料、外用剤等の塗布、除去用の衛生用具が開示されている。
【特許文献１】実開平０６−００７６０８号公報
【考案の開示】
【考案が解決しようとする課題】
【０００５】
しかしながら、前述のような衛生用具を使用した化粧料の除去では、同じ除去動作を２乃至３回程度は繰り返さないと、化粧料及びクレンジング剤等の除去剤を完全に顔等から取り払うことができない。また、作業の仮定で指に余計な力が加わる結果、肌に大きな負担がかかってしまう。更には、顔の細かいところ、例えば目まわりや小鼻まわり等まで化粧料や除去剤を十分に落としきれない等といった煩わしさがあった。
【０００６】
本発明の目的は、携帯自在なスティック形状で、顔の目まわりや小鼻まわり等の細かい部分からも化粧料及び除去剤を十分に除去することを可能とすることにある。
【課題を解決するための手段】
【０００７】
本発明の第１の態様によれば、円筒形状に綿を成形することで構成された化粧料の除去用衛生用具が提供される。
【０００８】
本発明の第２の態様によれば、円筒形状に綿を成形することで構成され、当該円筒形状の長手方向に垂直な平面による断面が楕円形となる化粧料の除去用衛生用具が提供される。
【０００９】
本発明の第３の態様によれば、円筒形状に綿を成形することで構成され、当該円筒形状の先端部において当該円筒形状の長手方向に垂直な平面に対して所定の角度を有するような両先端部分を有する化粧料の除去用衛生用具が提供される。
【００１０】
本発明の第４の態様によれば、円筒形状を当該円筒形状の長手方向に平行な平面で該円筒形状の中心を通るように２分割した半円筒形状に、該半円筒形状の長手方向に形成される平面上に上記円筒形状の中心にその一平面の中心線が置かれるような関係で直方体を更に配設した形状に綿等を成形することで構成される化粧料の除去用衛生用具が提供される。
【考案の効果】
【００１１】
本考案によれば、携帯自在なスティック形状で、顔の目まわりや小鼻まわり等の細かい部分からも化粧料及び除去剤を十分に除去することを可能とする化粧料の除去用衛生用具を提供することができる。
【考案を実施するための最良の形態】
【００１２】
以下、添付図面を参照して、本考案の実施の形態について説明する。
【００１３】
図１には本発明の第１の実施の形態に係る化粧料の除去用衛生用具の斜視図を示し、図２には同衛生用具の側面図及びＡＡ’での断面図を示し説明する。
【００１４】
この図１，２に示されるように、この衛星用具１は、円筒形状に綿等を成形することで構成されている。その外周面１ａは側面から見ると長方形となっており、ＡＡ´での断面１ｃは円形となっている。この外周面１ａが主に化粧料や除去剤の除去に用いられ、目まわりや小鼻まわりについては、外周面１ａの先端部分や先端部１ｂが用いられる。
【００１５】
図３には本発明の第２の実施の形態に係る化粧料の除去用衛生用具の斜視図を示し、図４には同衛生用具の側面図及びＢＢ’での断面図を示し説明する。
【００１６】
この図３，４に示されるように、この衛星用具２は、その断面が楕円形となるような円筒形状に綿等を成形することで構成されている。その外周面２ａは側面から見ると長方形となっており、ＢＢ´での断面２ｃは楕円形となっている。この外周面２ａが主に化粧料や除去剤の除去に用いられ、目まわりや小鼻まわりについては、外周面２ａの先端部分や先端部２ｂが用いられる。
【００１７】
図５には本発明の第３の実施の形態に係る化粧料の除去用衛生用具の斜視図を示し、図６には同衛生用具の側面図及びＣＣ’での断面図を示し説明する。
【００１８】
この図５，６に示されるように、この衛星用具３は、その先端部において長手方向に垂直な平面に対して所定の角度を有するような両先端部分を持つ円筒形状に綿等を成形することで構成されている。その外周面３ａは側面から見ると平方四辺形となっており、ＣＣ´での断面３ｃは円形となっている。更に、先端部３ｂは、衛生用具の長手方向に垂直な平面に対して例えば３０乃至４５度程度の角度を有している。外周面３ａが主に化粧料や除去剤の除去に用いられ、目まわりや小鼻まわりについては、外周面３ａの先端部分や先端部３ｂが用いられる。
【００１９】
図７には本発明の第４の実施の形態に係る化粧料の除去用衛生用具の斜視図を示し、図８には同衛生用具の側面図及びＡＡ’での断面図を示し説明する。
【００２０】
この図７，８に示されるように、この衛星用具４は、円筒形状を長手方向に平行な平面で該円筒の中心を通るように２分割した所謂半円筒形状に、該半円筒形状の長手方向に形成される平面上に上記円筒の中心にその一平面の中心線が置かれるような関係で直方体を更に配設した形状に綿等を成形することで構成されている。平面４ａ上に形成された凸部４ｂは、使用者が本衛生用具を把持するために用いられる。その外周面４ｅは側面から見ると長方形となっており、ＤＤ´での断面４ｄは半円形に、当該半円形の一直線上の中心部がその一平面の中心に位置するように凸部が更に設けられた形状となっている。この外周面４ｅが主に化粧料や除去剤の除去に用いられ、目まわりや小鼻まわりについては、外周面４ｅの先端部分や先端部４ｃが用いられる。
【００２１】
これら第１乃至第４の実施の形態に係る化粧料の除去用衛生用具は、図９に示されるような態様で使用される。即ち、図９に矢印で示したような方向に本衛生用具を移動させることで化粧料やクレンジング剤等の除去剤を除去することが可能である。
【００２２】
ここで、第１乃至第４の実施の形態に係る化粧料の除去用衛生用具は、市販時からクレンジング剤等の除去剤が含浸されていない「ドライタイプ」であっても、市販時から除去剤が含浸されている「ウェットタイプ」であってもよい。
【００２３】
このドライタイプを使用する場合には、ポイントメイクを落とした後、クレンジング剤等の除去剤を顔に塗布し、衛生用具を顔の中心から外側に向かって肌に軽く滑らせる。一方、ウェットタイプを使用する場合には、ポイントメイクを落とした後、そのまま衛生用具を顔の中心から外側に向かって肌に軽く滑らせる。
【００２４】
以上説明したように、本実施の形態では、衛生用具をスティック状とすることで、一度に頬などに当たる面積が広がるので、一気にクレンジング剤を拭き取ることができる。このスティック状には、前述した円筒形状や、その先端部に所定の傾斜をもつもの、前述したように把持部をもつもののほか、一部にくぼみを有する円筒形状等も含まれる。
【００２５】
また、従来品に比して、少ない数でクレンジング剤を拭き取ることができるので、時間短縮にもなる。さらに、衛生用具をスティック状とすることで、頬などに均等に力が作用するので、肌への負担も軽減されることが期待できる。また、前述した通りの材質でスティック状に構成することで、柔らかい使用感で肌に優しくフィットする。
【００２６】
さらに、目まわりや小鼻回りの凹凸のある細かい部分もスティックの先端部分を使用することで、十分にクレンジング剤を拭き取ることが可能となる。
【００２７】
以上のほか、本実施の形態は使い捨てタイプなので衛生的であり、更に携帯し易い形状なので外出先でも手軽に使用することが可能である。
【図面の簡単な説明】
【００２８】
【図１】本考案の第１実施形態に係る化粧料の除去用衛生用具の斜視図。
【図２】本考案の第１実施形態に係る化粧料の除去用衛生用具の側面及び断面図。
【図３】本考案の第２実施形態に係る化粧料の除去用衛生用具の斜視図。
【図４】本考案の第２実施形態に係る化粧料の除去用衛生用具の側面及び断面図。
【図５】本考案の第３実施形態に係る化粧料の除去用衛生用具の斜視図。
【図６】本考案の第３実施形態に係る化粧料の除去用衛生用具の側面及び断面図。
【図７】本考案の第４実施形態に係る化粧料の除去用衛生用具の斜視図。
【図８】本考案の第４実施形態に係る化粧料の除去用衛生用具の側面及び断面図。
【図９】本考案の第１乃至第４実施形態に係る化粧料の除去用衛生用具の使用方法を説明するための概念図である。
【符号の説明】
【００２９】
１…衛生用具、１ａ…外周面、１ｂ…先端部、１ｃ…断面、２…衛生用具、２ａ…外周面、２ｂ…先端部、２ｃ…断面、３…衛生用具、３ａ…外周面、３ｂ…先端部、３ｃ…断面、４…衛生用具、４ａ…平面、４ｂ…凸部、４ｃ…先端部、４ｄ…断面、４ｅ…外周面。
【図１】
0003122553.tif 000003
【図２】
0003122553.tif 000004
【図３】
0003122553.tif 000005
【図４】
0003122553.tif 000006
【図５】
0003122553.tif 000007
【図６】
0003122553.tif 000008
【図７】
0003122553.tif 000009
【図８】
0003122553.tif 000010
【図９】
0003122553.tif 000011